(57)【要約】【課題】電子ペーパーを備えた画像表示端末装置における表示を高速化するとともに消費電力を低減することを可能とする表示システム、画像表示端末装置及び情報処理装置を提供すること。【解決手段】情報処理装置２は第１の記憶部及び第１のファイル管理部を含む。画像表示端末３は表示部、第２の記憶部及び第２のファイル管理部を含み、情報処理装置から転送されたファイルの情報を表示する。第１の表示用データを含むｐｄｆファイルが第１の記憶部に記憶され、第１の表示用データから表示部の属性に合わせたビットマップ形式の第２の表示用データを含むｍｃｄｐファイルの生成が第１のファイル管理部において行われる。ｍｃｄｐファイルがｐｄｆファイルと共に画像表示端末に転送されて第２の記憶部に記憶され、表示部におけるファイルの情報を表示する制御は第２のファイル管理部で行われる。表示に用いられるファイルの情報は第２の表示用データである。【選択図】図１
2014032385.tif 000002
【特許請求の範囲】
【請求項１】
第１の記憶部及び第１のファイル管理部を含む情報処理装置と、
表示部、第２の記憶部及び第２のファイル管理部を含み、前記情報処理装置から転送されたファイルの情報を表示する画像表示端末装置と、
を含み、
第１の表示用データを含む第１のファイルが、前記第１の記憶部に記憶され、
前記第１の表示用データから前記表示部の属性に合わせたビットマップ形式の第２の表示用データを含む第２のファイルの生成が、前記第１のファイル管理部において行われ、
前記第２のファイルが、前記第１のファイルと共に前記画像表示端末装置に転送されて前記第２の記憶部に記憶され、
前記表示部における前記ファイルの情報を表示する制御は、前記第２のファイル管理部で行われ、
表示に用いられる前記ファイルの情報は、前記第２の表示用データであることを特徴とする表示システム。
【請求項２】
前記画像表示端末装置における前記ファイルの名称の表示には前記第１のファイルの名称が用いられることを特徴とする請求項１に記載の表示システム。
【請求項３】
前記表示部は、前記表示部に書き込まれた第１の追加情報を取得する機能を有し、
前記第２の表示用データが表示されているときに書き込まれた前記第１の追加情報は、ベクトル形式のデータとして前記第２の記憶部に記憶され、
前記第１のファイルが前記情報処理装置に転送されるときは、前記ベクトル形式のデータも転送され、
前記第１のファイル管理部において、前記ベクトル形式のデータと前記第１のファイルとの合成が行われることを特徴とする請求項１又は２に記載の表示システム。
【請求項４】
前記ベクトル形式のデータは、独立したオブジェクトとして前記第１の表示用データにアノテーションされることを特徴とする請求項３に記載の表示システム。
【請求項５】
前記ベクトル形式のデータは、更に、前記表示部における操作によって追加された第２の追加情報を含むことを特徴とする請求項３又は４に記載の表示システム。
【請求項６】
前記ベクトル形式のデータは前記第２の表示用データに関連付けられ、前記第２のファイルの一部として前記第２の記憶部に記憶されることを特徴とする請求項３乃至５のいずれか１項に記載の表示システム。
【請求項７】
前記第２のファイルは、付帯情報を有し、前記付帯情報により前記ベクトル形式のデータが存在するか否かの識別が行えることを特徴とする請求項３乃至６のいずれか１項に記載の表示システム。
【請求項８】
前記第２の表示用データは、複数の解像度のビットマップ形式のデータを含むことを特徴とする請求項１乃至７のいずれか１項に記載の表示システム。
【請求項９】
前記画像表示端末装置は所定の機種情報を有し、前記第２の表示用データは前記所定の機種情報に基づいて生成されることを特徴とする請求項１乃至８のいずれか１項に記載の表示システム。
【請求項１０】
電子ペーパーを備えた表示部と、
前記表示部に画像を表示させる処理を行う画像表示処理部と、
第１のファイル及び第２のファイルを記憶する記憶部と、
ファイル管理部と、
を含み、
前記第１のファイルは第１の表示用データを含み、
前記第２のファイルは第２の表示用データを含み、
前記第２の表示用データは、前記第１の表示用データが前記表示部の属性に合わせて変換されたビットマップ形式のデータであり、
前記第１のファイルの内容を表示するための操作が行われたときは、前記第２の表示用データを用いて前記表示部に前記第２のファイルの表示を行うことを特徴とする画像表示端末装置。
【請求項１１】
第１の表示用データを含む第１のファイルを記憶する記憶部と、
第２の表示用データを含む第２のファイルを生成するファイル管理部と、
を含み、
前記第２の表示用データは、前記第１の表示用データから生成されたビットマップ形式のデータであり、
前記第１のファイルに対して外部の装置への転送を行うための操作が行われたときに前記第２の表示用データの生成が行われ、
前記外部の装置へのファイルの転送は、前記第１のファイル及び前記第２のファイルに対して行われることを特徴とする情報処理装置。
【請求項１２】
第１のファイル管理部を有する情報処理装置と、
第２のファイル管理部を有する画像表示端末装置と、を含み、
前記第１のファイル管理部は，第１のファイル情報に含まれる第１の表示用データを用いて表示画像の表示を行い、
前記第２のファイル管理部は、第２のファイル情報に含まれる第２の表示用データを用いて前記表示画像の表示を行い、
前記第２のファイル情報は、前記第１の表示用データと前記第２の表示用データとを含み、
前記第２のファイル情報は、前記第１のファイル情報を前記情報処理装置から前記画像表示端末装置に転送するときに、前記第１のファイル管理部において生成されることを特徴とする表示システム。
【請求項１３】
前記第２の表示用データは、前記画像表示端末装置の表示部の属性に合わせた形式のデータであることを特徴とする請求項１２に記載の表示システム。
【請求項１４】
前記画像表示端末装置は、前記表示部に書き込まれた第１の追加情報を取得し前記第２のファイル情報に追加する機能を有し、
前記第２のファイル管理部は前記第２の表示用データと前記第１の追加情報とを用いて前記表示画像の表示を行うことを特徴とする請求項１２又は１３に記載の表示システム。
【請求項１５】
前記第２のファイル管理部は、前記第２のファイル情報を前記画像表示端末装置から前記情報処理装置に転送するときに前記第１の表示用データと前記第１の追加情報とを含む第３のファイル情報を生成し、
前記第１のファイル管理部は、前記第３のファイル情報を新たな前記第１のファイル情報として管理し、前記第１の表示用データと前記第１の追加情報とを用いて前記表示画像の表示を行うことを特徴とする請求項１４に記載の表示システム。
【請求項１６】
前記情報処理装置及び前記画像表示端末装置のそれぞれは、独立した装置として使用することができる請求項１２乃至１５のいずれか一項に記載の表示システム。
【請求項１７】
前記第２の表示用データは、ビットマップ形式のデータであり、
前記第１の追加情報は、ベクトル形式のデータである、ことを特徴とする請求項１２乃至１６のいずれか一項に記載の表示システム。
【請求項１８】
前記表示部を制御する表示制御部と前記第２のファイル管理部とがひとつの半導体回路装置として構成されている請求項１２乃至１７のいずれか１項に記載の表示システム。
【請求項１９】
記憶部と、
書込みができる表示部と、
ファイル管理部と、
を含み、
前記記憶部は、他の装置で作成されたファイル情報を記憶し、
前記ファイル情報は、第１の表示用データと第２の表示用データとを含み、
前記ファイル管理部は、前記表示部にユーザーにより書き込まれた第１の追加情報を取得し前記ファイル情報に追加すると共に、前記第２の表示用データ及び前記第１の追加情報を用いて前記表示部に画像を表示させ、
前記他の装置に前記ファイル情報の内容を出力する場合は、前記ファイル管理部は前記第１の表示用データと前記第１の追加情報とを出力することを特徴とする画像表示端末装置。
【発明の詳細な説明】
【技術分野】
【０００１】
本発明は、表示システム、画像表示端末装置及び情報処理装置に関する。
【背景技術】
【０００２】
近年、視認性に優れ、消費電力が小さい等の利点をもつ電子ペーパーの需要が増しており、電子書籍リーダー（電子ブックリーダー）、電子看板（デジタルサイネージ）、一部の携帯電話機等に利用されている。
【０００３】
特に、電子書籍の普及は目覚しく、携帯型の画像表示端末装置に電子書籍をダウンロードして読書するというライフスタイルが確立しつつある。電子ペーパーは、ＬＣＤ（Liquid Crystal Display）等の他の表示媒体と比較して視認性や消費電力の点で優れており、携帯型の画像表示端末装置での読書の用途に向いているが、ＬＣＤ等と比較して表示速度が遅いという欠点がある。
【０００４】
このような問題に対して、例えば、特許文献１では、画面領域を分割して重要度の高い部分領域のみを表示することで、意味のある部分のみを表示しながら高速にページ送りを行うことができる電子書籍装置が提案されている。
【先行技術文献】
【特許文献】
【０００５】
【特許文献１】特開２０１２−４２５２８号公報
【発明の概要】
【発明が解決しようとする課題】
【０００６】
しかしながら、特許文献１の手法は、画面の内容を一部捨象するものであるから、必ずしもユーザーが満足できるものとはいえない。
【０００７】
一方、最近では、電子ペーパーの表示コントローラーのアーキテクチャーを改良することにより、高速表示が可能になりつつあり、画像表示端末装置でのデータファイルのパース（構造解析）やレンダリング（画像生成）の処理を高速化することで、ユーザーが容認できる程度の表示速度を達成できる可能性がある。
【０００８】
しかしながら、パースやレンダリングの処理は処理負荷が大きいため、画像表示端末装置に処理能力の高い高機能ＣＰＵを内蔵する必要があり、コストがかかるという問題がある。さらに、ページ送り時に毎回レンダリングが行われるため、バッテリーの消費量が大きくなるという問題もある。
【０００９】
本発明は、以上のような問題点に鑑みてなされたものであり、本発明のいくつかの態様によれば、電子ペーパーを備えた画像表示端末装置における表示を高速化するとともに消費電力を低減することを可能とする表示システム、画像表示端末装置及び情報処理装置を提供することができる。
【課題を解決するための手段】
【００１０】
本発明は前述の課題の少なくとも一部を解決するためになされたものであり、以下の態様または適用例として実現することが可能である。
【００１１】
［適用例１］
本適用例に係る表示システムは、第１の記憶部及び第１のファイル管理部を含む情報処理装置と、表示部、第２の記憶部及び第２のファイル管理部を含み、前記情報処理装置から転送されたファイルの情報を表示する画像表示端末装置と、を含み、第１の表示用データを含む第１のファイルが、前記第１の記憶部に記憶され、前記第１の表示用データから前記表示部の属性に合わせたビットマップ形式の第２の表示用データを含む第２のファイルの生成が、前記第１のファイル管理部において行われ、前記第２のファイルが、前記第１のファイルと共に前記画像表示端末装置に転送されて前記第２の記憶部に記憶され、前記表示部における前記ファイルの情報を表示する制御は、前記第２のファイル管理部で行われ、表示に用いられる前記ファイルの情報は、前記第２の表示用データであることを特徴とする。
【００１２】
本適用例に係る表示システムによれば、画像表示端末装置は、第２のファイルに含まれるビットマップ形式のデータを表示すればよいので、第１のファイルのパースやレンダリングの処理を行う必要がない。そのため、電子ペーパーを備えた画像表示端末装置における表示を高速化するとともに画像表示端末装置の消費電力を低減することができる。
【００１３】
［適用例２］
上記適用例に係る表示システムにおいて、前記画像表示端末装置における前記ファイルの名称の表示には前記第１のファイルの名称が用いられてもよい。
【００１４】
本適用例に係る表示システムによれば、画像表示端末装置上でユーザーに対して第２のファイルを隠蔽し、画像表示端末装置が第１のファイルを高速処理しているかのように見せることができる。
【００１５】
［適用例３］
上記適用例に係る表示システムにおいて、前記表示部は、前記表示部に書き込まれた第１の追加情報を取得する機能を有し、前記第２の表示用データが表示されているときに書き込まれた前記第１の追加情報は、ベクトル形式のデータとして前記第２の記憶部に記憶され、前記第１のファイルが前記情報処理装置に転送されるときは、前記ベクトル形式のデータも転送され、前記第１のファイル管理部において、前記ベクトル形式のデータと前記第１のファイルとの合成が行われてもよい。
【００１６】
本適用例に係る表示システムによれば、画像表示端末装置は、第１のファイルと第１の追加情報に対応するベクトル形式のデータとを合成する必要がない。従って、画像表示端末装置の処理負荷と消費電力を低減することができる。
【００１７】
［適用例４］
上記適用例に係る表示システムにおいて、前記ベクトル形式のデータは、独立したオブジェクトとして前記第１の表示用データにアノテーションされるものでもよい。
【００１８】
本適用例に係る表示システムでは、情報処理装置は、第１のファイルに含まれる第１の表示用データと画像表示端末装置で追加されたベクトル形式のデータとを１つの画像データに合成するのではなく、ベクトル形式のデータを、第１の表示用データと別個のオブジェクトとして第１の表示用データにアノテーションすることで、情報処理装置が、当該ベクトル形式のデータがアノテーションされたファイルを新たな第１のファイルとして、第１の表示用データをビットマップ形式のデータに変換した第２のファイルとともに画像表示端末装置に転送することで、画像表示端末装置で当該ベクトル形式のデータの削除や変更が可能となる。
【００１９】
［適用例５］
上記適用例に係る表示システムにおいて、前記ベクトル形式のデータは、更に、前記表示部における操作によって追加された第２の追加情報を含んでいてもよい。
「前記表示部における操作」は、例えば、メニューによる操作であり、「第２の追加情報」は、例えば、アンダーライン（下線）やしおりである。
【００２０】
本適用例に係る表示システムによれば、画像表示端末装置は、第１のファイルと第２の追加情報に対応するベクトル形式のデータとを合成する必要がない。従って、画像表示端末装置の処理負荷と消費電力を低減することができる。
【００２１】
［適用例６］
上記適用例に係る表示システムにおいて、前記ベクトル形式のデータは前記第２の表示用データに関連付けられ、前記第２のファイルの一部として前記第２の記憶部に記憶されていてもよい。
【００２２】
本適用例に係る表示システムによれば、ベクトル形式のデータを第２の表示用データに関連付けて第２のファイルの一部として記憶することで、画像表示端末装置は、第１のファイルに含まれる第１の表示用データと追加されたベクトル形式のデータとを合成する処理が不要である。従って、画像表示端末装置でベクトル画像が追加された場合も、画像表示端末装置の低処理負荷と低消費電力を維持することができる。
【００２３】
［適用例７］
上記適用例に係る表示システムにおいて、前記第２のファイルは、付帯情報を有し、前記付帯情報により前記ベクトル形式のデータが存在するか否かの識別が行えるものでもよい。
【００２４】
本適用例に係る表示システムによれば、画像表示端末装置及び情報処理装置は、付帯情報に基づき、第２のファイルにベクトル形式のデータが存在するか否かを簡単に識別することができる。
【００２５】
［適用例８］
上記適用例に係る表示システムにおいて、前記第２の表示用データは、複数の解像度のビットマップ形式のデータを含んでいてもよい。
【００２６】
本適用例に係る表示システムによれば、第２の表示用データが複数の解像度のビットマップ形式のデータを含むので、画像表示端末装置は、少なくともある決まった倍率の拡大画像や縮小画像の表示の際には、当該複数の解像度のビットマップ形式のデータのいずれかを使用することでレンダリングを行う必要がなく、消費電力を抑えながら表示を高速化することができる。
【００２７】
［適用例９］
上記適用例に係る表示システムにおいて、前記画像表示端末装置は所定の機種情報を有し、前記第２の表示用データは前記所定の機種情報に基づいて生成されてもよい。
【００２８】
本適用例に係る表示システムによれば、画像表示端末装置が有する機種情報を用いることで、情報処理装置は、画像表示端末装置の機種に応じた適切な解像度の第２の表示用データを生成することができる。従って、汎用性の高い表示システムを実現することができる。
【００２９】
［適用例１０］
本適用例に係る画像表示端末装置は、電子ペーパーを備えた表示部と、前記表示部に画像を表示させる処理を行う画像表示処理部と、第１のファイル及び第２のファイルを記憶する記憶部と、ファイル管理部と、含み、前記第１のファイルは第１の表示用データを含み、前記第２のファイルは第２の表示用データを含み、前記第２の表示用データは、前記第１の表示用データが前記表示部の属性に合わせて変換されたビットマップ形式のデータであり、前記第１のファイルの内容を表示するための操作が行われたときは、前記第２の表示用データを用いて前記表示部に前記第２のファイルの表示を行うことを特徴とする。
【００３０】
本適用例に係る画像表示端末装置によれば、表示部の属性に合わせて変換されたビットマップ形式のデータである第２の表示用データを用いることで第１のファイルのパースやレンダリングの処理を行う必要がないので、電子ペーパーの表示を高速化するとともに画像表示端末装置の消費電力を低減することができる。
【００３１】
［適用例１１］
本適用例に係る情報処理装置は、第１の表示用データを含む第１のファイルを記憶する記憶部と、第２の表示用データを含む第２のファイルを生成するファイル管理部と、を含み、前記第２の表示用データは、前記第１の表示用データから生成されたビットマップ形式のデータであり、前記第１のファイルに対して外部の装置への転送を行うための操作が行われたときに前記第２の表示用データの生成が行われ、前記外部の装置へのファイルの転送は、前記第１のファイル及び前記第２のファイルに対して行われることを特徴とする。
【００３２】
本適用例に係る情報処理装置によれば、第１のファイルに対して外部の装置への転送を行うための操作が行われたときにビットマップ形式の第２の表示用データを生成し、第１のファイルと、第２の表示用データを含む第２のファイルとを転送するので、外部の装置は、第２の表示用データを用いて高速表示を実現することができる。
【００３３】
［適用例１２］
本発明の適用例に係る他のひとつの表示システムは、第１のファイル管理部を有する情報処理装置と、第２のファイル管理部を有する画像表示端末装置と、を含み、前記第１のファイル管理部は，第１のファイル情報に含まれる第１の表示用データを用いて表示画像の表示を行い、前記第２のファイル管理部は、第２のファイル情報に含まれる第２の表示用データを用いて前記表示画像の表示を行い、前記第２のファイル情報は、前記第１の表示用データと前記第２の表示用データとを含み、前記第２のファイル情報は、前記第１のファイル情報を前記情報処理装置から前記画像表示端末装置に転送するときに、前記第１のファイル管理部において生成されることを特徴とする。
【００３４】
［適用例１３］
上記の他のひとつの表示システムにおいて、前記第２の表示用データは、前記画像表示端末装置の表示部の属性に合わせた形式のデータであることが好ましい。
【００３５】
［適用例１４］
上記の他のひとつの表示システムにおいて、前記画像表示端末装置は、前記表示部に書き込まれた第１の追加情報を取得し前記第２のファイル情報に追加する機能を有し、前記第２のファイル管理部は前記第２の表示用データと前記第１の追加情報とを用いて前記表示画像の表示を行うことが好ましい。
【００３６】
［適用例１５］
上記の他のひとつの表示システムにおいて、前記第２のファイル管理部は、前記第２のファイル情報を前記画像表示端末装置から前記情報処理装置に転送するときに前記第１の表示用データと前記第１の追加情報とを含む第３のファイル情報を生成し、前記第１のファイル管理部は、前記第３のファイル情報を新たな前記第１のファイル情報として管理し、前記第１の表示用データと前記第１の追加情報とを用いて前記表示画像の表示を行うことが好ましい。
【００３７】
［適用例１６］
上記の他のひとつの表示システムにおいて、前記情報処理装置及び前記画像表示端末装置のそれぞれは、独立した装置として使用することができることが好ましい。
【００３８】
［適用例１７］
上記の他のひとつの表示システムにおいて、前記第２の表示用データは、ビットマップ形式のデータであり、前記第１の追加情報は、ベクトル形式のデータである、ことが好ましい。
【００３９】
［適用例１８］
上記の他のひとつの表示システムにおいて、前記表示部を制御する表示制御部と前記第２のファイル管理部とがひとつの半導体回路装置として構成されていることが好ましい。
【００４０】
［適用例１９］
本発明の適用例に係る他のひとつの画像表示端末装置は、記憶部と、書込みできる表示部と、ファイル管理部と、を含み、前記記憶部は、他の装置で作成されたファイル情報を記憶し、前記ファイル情報は、第１の表示用データと第２の表示用データとを含み、前記ファイル管理部は、前記表示部にユーザーにより書き込まれた第１の追加情報を取得し前記ファイル情報に追加すると共に、前記第２の表示用データ及び前記第１の追加情報を用いて前記表示部に画像を表示させ、前記他の装置に前記ファイル情報の内容を出力する場合は、前記ファイル管理部は前記第１の表示用データと前記第１の追加情報とを出力することを特徴とする。
【図面の簡単な説明】
【００４１】
【図１】第１実施形態の表示システムの構成及び処理の概要についての説明図。
【図２】第１実施形態の表示システムの構成及び処理の概要についての説明図。
【図３】第１実施形態の表示システムの構成及び処理の概要についての説明図。
【図４】第１実施形態の表示システムの構成及び処理の概要についての説明図。
【図５】第１実施形態の情報処理装置のハードウェア構成例を示す図。
【図６】高速表示用ファイルの一例を示す図。
【図７】第１実施形態の画像表示端末の外観図。
【図８】第１実施形態の画像表示端末のハードウェア構成例を示す図。
【図９】第１実施形態における電気泳動表示装置のブロック図。
【図１０】第１実施形態における電気泳動表示装置の画素の構成例を示す図。
【図１１】（Ａ）はマイクロカプセルの構成例を示す図であり、（Ｂ）及び（Ｃ）はマイクロカプセルの動作の説明図。
【図１２】情報処理装置によるファイル操作に対する処理のフローチャートの一部を示す図。
【図１３】情報処理装置によるファイル変換＆転送処理のフローチャートの一部を示す図。
【図１４】情報処理装置によるファイル転送＆合成処理のフローチャートの一部を示す図。
【図１５】情報処理装置によるファイル改名／削除／移動／コピー処理のフローチャートの一部を示す図。
【図１６】画像表示端末による処理のフローチャートの一部を示す図。
【図１７】画像表示端末による改名／削除／移動／コピー処理のフローチャートの一部を示す図。
【図１８】画像表示端末によるファイル閲覧＆編集処理のフローチャートの一部を示す図。
【図１９】画像表示端末によるベクトル画像編集処理のフローチャートの一部を示す図。
【図２０】第２実施形態における高速表示用ファイルの一例を示す図。
【図２１】画像表示端末の機種情報の一例を示す図。
【図２２】画像表示端末の一例を示す図。
【図２３】第４実施形態の画像表示端末のハードウェア構成例を示す図。
【発明を実施するための形態】
【００４２】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００４３】
１．第１実施形態
１−１．表示システムの構成及び処理の概要
図１〜図４は、本実施形態の表示システムの構成及び処理の概要についての説明図である。本実施形態の表示システム１は、情報処理装置２と画像表示端末（画像表示端末装置）３とを含んで構成される。図１〜図４の例では、情報処理装置２はパーソナルコンピューター（ＰＣ：Personal Computer）等であり、画像表示端末３は電子書籍端末等である。情報処理装置２と画像表示端末３は、例えば、ＵＳＢケーブル４で接続されることでデータ通信が可能になっている。ただし、情報処理装置２と画像表示端末３は、無線データ通信を行ってもよい。
【００４４】
図１には、情報処理装置２のディスプレイに画像表示端末３の／ｒｏｏｔ／ｄａｔａフォルダーが表示されており、ユーザーが、情報処理装置２のマウス（不図示）を用いて、情報処理装置２のデスクトップ上にあるｘｘｘ．ｐｄｆファイルのアイコンをドラッグ＆ドロップして画像表示端末３の／ｒｏｏｔ／ｄａｔａフォルダーにコピーする操作が示されている。このコピー操作が行われると、情報処理装置２は、ｘｘｘ．ｐｄｆファイルから同じ名前の高速表示用のｘｘｘ．ｍｃｄｐファイルを作成し、画像表示端末３にｘｘｘ．ｐｄｆファイルとｘｘｘ．ｍｃｄｐファイルをコピーする。この時、ｘｘｘ．ｐｄｆファイルとｘｘｘ．ｍｃｄｐファイルは、コピー先の／ｒｏｏｔ／ｄａｔａフォルダーにはコピーされず、その直下にｐｄｆフォルダーとｍｃｄｐフォルダーが作られ、それぞれｐｄｆフォルダーとｍｃｄｐフォルダーに分かれてコピーされる。この時、情報処理装置２は、画像表示端末３の／ｒｏｏｔ／ｄａｔａフォルダーの内容として、／ｒｏｏｔ／ｄａｔａ／ｐｄｆフォルダーにコピーされたｐｄｆファイルを表示させ、／ｒｏｏｔ／ｄａｔａ／ｍｃｄｐフォルダーにコピーされたｍｃｄｐファイルは表示させない。その後、ユーザーは、ＵＳＢケーブル４を外し、画像表示端末３を単体で使用する。
【００４５】
図２には、ユーザーが画像表示端末３の入力ボタンを用いて、／ｒｏｏｔ／ｄａｔａフォルダーを参照した場合に画像表示端末３のディスプレイに表示される画面が示されている。図２に示すように、画像表示端末３は、参照フォルダーの名前の表示は、「／ｒｏｏｔ／ｄａｔａ」にするが、／ｒｏｏｔ／ｄａｔａフォルダーの中身ではなく／ｒｏｏｔ／ｄａｔａ／ｐｄｆフォルダーの中身を表示させる。その結果、実際には／ｒｏｏｔ／ｄａｔａフォルダーに存在しないｘｘｘ．ｐｄｆファイルが仮想的に／ｒｏｏｔ／ｄａｔａフォルダーに存在するものとしてそのアイコンが表示されている。ユーザーはこのｘｘｘ．ｐｄｆファイルのアイコンに対して、各種のファイル操作（改名、削除、移動、コピーなど）を行うことができる。画像表示端末３は、ファイル操作に応じて、ｐｄｆファイルとｍｃｄｐファイルの双方に対して改名、削除、移動、コピーなどを行うが、ディスプレイにはｐｄｆファイルのみが表示され、ｍｃｄｐファイルは表示されない。すなわち、ユーザーからはｍｃｄｐファイルの存在を認識できないようになっている。
【００４６】
図３には、ユーザーが画像表示端末３の入力ボタンを用いて、仮想的にｒｏｏｔ／ｄａｔａフォルダーに存在する（実際には／ｒｏｏｔ／ｄａｔａ／ｐｄｆフォルダーに存在する）ｘｘｘ．ｐｄｆファイルの閲覧操作（ファイルの内容を表示するための操作）を行った場合に画像表示端末３のディスプレイに表示される画面が示されている。この時、画像表示端末３は、ｘｘｘ．ｐｄｆファイルを読み出さず、その代わりに／ｒｏｏｔ／ｄａｔａ／ｍｃｄｐフォルダーに存在する高速表示用のｘｘｘ．ｍｃｄｐファイルを読み出し、ディスプレイに表示する。ｘｘｘ．ｍｃｄｐファイルには、ｘｘｘ．ｐｄｆファイルの各ページに対応する、画像表示端末３のディスプレイの属性（総画素数や表示色（階調）の数など）に合ったビットマップ形式の画像データが含まれており、画像表示端末３がレンダリング処理を行わなくてよいため高速表示が可能になる。また、ユーザーは、タッチペンを用いて、ディスプレイに表示されている画像に手書きの図形を書き込むことができるようになっており、ユーザーが書き込んだ図形等は、ｘｘｘ．ｐｄｆファイルではなくｘｘｘ．ｍｃｄｐファイルに編集データとして追加される。すなわち、ユーザーは、ｐｄｆファイルに対して閲覧操作や編集操作を行っていると認識するが、実際にはｍｃｄｐファイルに対する処理が行われる。
【００４７】
図４には、ユーザーが、情報処理装置２のマウス（不図示）を用いて、画像表示端末３のディスプレイに表示されているｘｘｘ．ｐｄｆファイルのアイコンをドラッグ＆ドロップして情報処理装置２のデスクトップにコピーする操作が示されている。このコピー操作が行われると、情報処理装置２は、画像表示端末３の／ｒｏｏｔ／ｄａｔａ／ｐｄｆフォルダーに存在するｘｘｘ．ｐｄｆファイルを情報処理装置２にコピーする。また、情報処理装置２は、画像表示端末３の／ｒｏｏｔ／ｄａｔａ／ｍｃｄｐフォルダーに存在するｘｘｘ．ｍｃｄｐファイルから手書きの図形等の編集データを抜き出して、情報処理装置２にコピーする。そして、情報処理装置２は、コピーされたｘｘｘ．ｐｄｆファイルと編集データとを合成し、デスクトップに新たなｘｘｘ．ｐｄｆファイルを作成する。
【００４８】
１−２．情報処理装置の構成
図５は、本実施形態の情報処理装置２のハードウェア構成例を示す図である。図５に示すように、本実施形態の情報処理装置２は、処理部１０、操作部２０、記憶部３０、表示部５０、音出力部６０及び通信部７０を含んで構成されており、これらの構成要素は、バス８０を介して、各種データの受け渡しができるようになっている。本実施形態の情報処理装置２は、図５の構成要素（各部）の一部を省略又は変更したり、他の構成要素を付加した構成としてもよい。
【００４９】
操作部２０は、キーボード２２やマウス２４等の入力装置であり、ユーザーによる操作に応じた操作信号を処理部１０に出力する。
【００５０】
記憶部３０（第１の記憶部の一例）は、処理部１０が各種の計算処理や制御処理を行うためのプログラムやデータ等を記憶している。特に、本実施形態では、記憶部３０には、フォルダーの表示やファイル操作等の処理を行うためのファイル管理プログラム３２が記憶（インストール）されている。また、記憶部３０には、表示用データを含むデータファイル３４（例えば、図１〜図４で説明したｐｄｆファイル）が記憶されている。表示用データを含むデータファイル３４としては、ｐｄｆファイルの他にも、電子書籍等の規格として採用されている種々の形式のファイルが考えられ、例えば、ｅｐｕｂ（Electronic Publication）ファイルなどが挙げられる。
【００５１】
また、記憶部３０は、処理部１０の作業領域としても使用され、本実施形態では、記憶部３０に、データファイル３４から生成された高速表示用ファイル３６（例えば、図１〜図４で説明したｍｃｄｐファイル）が記憶される。
【００５２】
表示部５０は、ＬＣＤ等により構成される表示装置（ディスプレイ）であり、処理部１０から出力される表示信号に基づいて各種の情報を表示する。
【００５３】
音出力部６０は、スピーカー等の音を出力する装置であり、処理部１０から出力される信号に基づいて各種の音（音声も含む）を出力する。
【００５４】
通信部７０は、処理部１０の制御により、有線又は無線により他の装置とのデータ通信を行うためのものである。通信部７０は、例えば、ＵＳＢケーブル等が接続されるＵＳＢインターフェイスでもよい。この場合、ＵＳＢインターフェイスを有する画像表示端末３との間で、通信部７０を介しての通信が可能となる。
【００５５】
処理部１０は、記憶部３０に記憶されている各種のプログラムに従って、各種の計算処理や制御処理を行う。特に、本実施形態では、処理部１０は、入力操作検出処理部１２と、ファイル管理部１４とを含む。ただし、本実施形態の処理部１０は、これらの一部の構成（要素）を省略又は変更したり、他の構成（要素）を追加した構成としてもよい。
【００５６】
入力操作検出処理部１２は、操作部２０（キーボード２２やマウス２４）からの操作信号等に基づいてユーザーによる入力操作を検出する処理を行う。
【００５７】
ファイル管理部１４（第１のファイル管理部の一例）は、入力操作検出処理部１２の検出結果に基づき、表示部５０に表示されたファイルの中から選択されたファイルに対して入力操作（ファイル操作）に応じた処理を行う。
【００５８】
特に、本実施形態では、ファイル管理部１４は、データファイル３４（第１のファイルの一例）を画像表示端末３に転送するファイル操作が行われた場合、データファイル３４に含まれる表示用データ（第１の表示用データ）を画像表示端末３の表示部の属性に合わせたビットマップ形式（ラスター形式）のデータ（第２の表示用データ）に変換して当該ビットマップ形式のデータを含む高速表示用ファイル３６（第２のファイルの一例）を生成し、データファイル３４と高速表示用ファイル３６を対応付けて画像表示端末３の記憶部に記憶させる処理を行う。また、ファイル管理部１４は、表示部５０に、ファイル操作の対象として高速表示用ファイル３６を表示させずにデータファイル３４を表示させる処理を行う。
【００５９】
なお、ファイル管理プログラム３２やデータファイル３４は、最初から記憶部３０に記憶されていてもよいが、処理部１０が、コンピューター読み取り可能な情報記憶媒体に記憶されているファイル管理プログラム３２やデータファイル３４を読み出して、記憶部３０に記憶してもよい。コンピューター読み取り可能な情報記憶媒体とは、例えば、光ディスク（コンパクトディスク（ＣＤ）、デジタルバーサタイルディスク（ＤＶＤ）、ブルーレイディスク（ＢＤ）、レーザーディスク（登録商標）（ＬＤ）等）、光磁気ディスク（ＭＯ）、磁気ディスク（ハードディスクドライブ（ＨＤＤ）、フレキシブルディスク（ＦＤ）等）、磁気テープ（デジタルデータストレージ（ＤＤＳ）等）、メモリー（フラッシュメモリー、メモリーカード、ＵＳＢメモリー等）等である。
【００６０】
あるいは、処理部１０が、通信部７０を介して、パーソナルコンピューター（サーバー）等の装置に記憶されているファイル管理プログラム３２やデータファイル３４を受信して記憶部３０に記憶してもよい。
【００６１】
図６は、高速表示用ファイル３６の一例である、図１〜図４で説明したｍｃｄｐファイルの構成を示す図である。本実施形態では、高速表示用ファイル（ｍｃｄｐファイル）３６は、ヘッダーファイル３６ａを含むとともに、データファイル３４（例えば、ｐｄｆファイル）の表示用のページＰｋ（ｋ＝１〜ｎ）毎に、ビットマップデータファイル３６ｂ、ベクトルデータファイル３６ｃ、付帯情報ファイル３６ｄを含んで構成されている。要するに、データファイル３４がｎページ分の表示用データを含む場合、このデータファイル３４が変換された高速表示用ファイル（ｍｃｄｐファイル）３６は、１つのヘッダーファイル３６ａ、ｎ個のビットマップデータファイル３６ｂ、ｎ個のベクトルデータファイル３６ｃ、ｎ個の付帯情報ファイル３６ｄを含む。
【００６２】
ヘッダーファイル３６ａには、ページ数やファイル名等のメタ情報が含まれている。
【００６３】
ビットマップデータファイル３６ｂ（例えば、ｐｎｇファイル）には、１ページ分の表示用データが画像表示端末３の表示部の属性に合わせて変換されたビットマップ形式の画像データ（以下、「ビットマップデータという」）が含まれている。
【００６４】
ベクトルデータファイル３６ｃには、画像表示端末３で手書き、しおり、アンダーライン等の機能を用いて追加された、手書きの図形や文字、しおり、アンダーライン等（第１の追加情報の一例）のベクトル形式のデータ（以下、「ベクトルデータという」）が含まれている。
【００６５】
付帯情報ファイル３６ｄには、付帯情報が保存されている。付帯情報は、例えば、ページ番号、画像表示端末３のディスプレイ（表示部）の総画素数（縦の画素数×横の画素数）、追加されたベクトルデータの有無（ベクトルデータファイル３６ｃにデータが存在するか否か）を示すデータ追加フラグなどの各ページの属性情報である。
【００６６】
画像表示端末３は、このように構成された高速表示用ファイル（ｍｃｄｐファイル）３６を用いることで、高速表示が可能になっている。
【００６７】
１−３．画像表示端末の構成
図７は、本実施形態の画像表示端末３の外観図であり、図８は、本実施形態の画像表示端末３のハードウェア構成例を示す図である。
【００６８】
図８に示すように、本実施形態の画像表示端末３は、記憶部１００、処理部１１０、操作部１２０、記憶部１３０、表示制御部１４０、表示部１５０、音出力部１６０、通信部１７０等を含んで構成されており、これらの構成要素は、バス１８０を介して、各種データの受け渡しができるようになっている。本実施形態の画像表示端末３は、図８の構成要素（各部）の一部を省略又は変更したり、他の構成要素を付加したりした構成としてもよい。
【００６９】
操作部１２０は、ユーザーによる入力操作に用いられる入力ボタン等の入力装置であり、各種のハードボタン１２０ａや各種のソフトボタン１２０ｂ等（図７参照）により構成される。
【００７０】
記憶部１００（第２の記憶部の一例）は、情報処理装置２から転送されたデータファイル３４（例えば、図１〜図４で説明したｐｄｆファイル）や高速表示用ファイル３６（例えば、図１〜図４で説明したｍｃｄｐファイル）を保存するための組込み式ＮＡＮＤ型フラッシュメモリー等の記憶装置である。
【００７１】
記憶部１３０は、処理部１１０が各種の計算処理や制御処理を行うためのプログラムやデータ等を記憶している。特に、本実施形態では、記憶部１３０には、フォルダーの表示やファイル操作等の処理を行うためのファイル管理プログラム１３２が記憶（インストール）されている。また、記憶部１３０には、高速表示用ファイル３６（ｍｃｄｐファイル）を用いて、データファイル３４（ｐｄｆファイル）の閲覧や編集を行うためのアプリケーションプログラム１３４が記憶（インストール）されている。
【００７２】
また、記憶部１３０は、処理部１１０の作業領域としても使用され、本実施形態では、記憶領域の一部に、高速表示用ファイル３６（ｍｃｄｐファイル）に含まれるビットマップデータやベクトルデータ、ユーザーによる所定の入力操作に応じて作成された図形や文字などのベクトルデータ等を格納するフレームバッファー１３６が設けられている。
【００７３】
音出力部１６０は、スピーカー等の音を出力する装置であり、処理部１１０から出力される信号に基づいて各種の音（音声も含む）を出力する。
【００７４】
通信部１７０は、処理部１１０の制御により、有線又は無線により他の装置とのデータ通信を行うためのものである。通信部１７０は、例えば、ＵＳＢケーブル等が接続されるＵＳＢインターフェイスでもよい。この場合、ＵＳＢインターフェイスを有する情報処理装置２との間で、通信部１７０を介しての通信が可能となる。
【００７５】
表示部１５０は、電子ペーパー１５２を備えた表示装置（ディスプレイ）であり、電子ペーパー１５２には、フレームバッファー１３６に格納されている画像データに対応する画像が表示される。電子ペーパー１５２としては、種々の方式のものを用いることができる。例えば、帯電された粒子を移動させて表示を切り替える電気泳動方式のもの、帯電された粒子を回転させて表示を切り替える粒子回転方式のもの、磁気により粒子を移動させて表示を切り替える磁気泳動方式のもの、小型バッテリー駆動の薄型の液晶やＥＬ素子による表示方式のもの、強誘電液晶に代表されるメモリー性のある液晶による表示方式のものなどを適宜電子ペーパー１５２として採用することができる。
【００７６】
表示部１５０は、さらに接触検出部１５４（デジタイザー）を備えている。接触検出部１５４（デジタイザー）は、電子ペーパー１５２の表示面に対向して設けられ、入力用のタッチペン（以下、単に「ペン」という）やユーザーの指等が電子ペーパー１５２に接触した位置を検出し、接触位置の情報を出力する。例えば、ユーザーがペンを用いて文字や図形等を入力する操作や、指をスライドさせてページ送りやページ戻し等のページ操作を行った場合、接触検出部１５４（デジタイザー）は、これらの操作が行われた際の接触位置の情報を出力する。
【００７７】
図９は、表示部１５０の構成例を示す図である。図９の例は、アクティブマトリックス方式の電気泳動表示装置（ＥＰＤ：Electrophoretic Display）であり、電子ペーパー１５２としてＥＰＤパネルを備えている。なお、図９において接触検出部１５４（デジタイザー）は図示を省略している。
【００７８】
図９に示すように、表示部１５０は、電子ペーパー１５２（ＥＰＤパネル）、走査線駆動回路２２１、データ線駆動回路２２２、共通電源変調回路２２４を含む。
【００７９】
走査線駆動回路２２１、データ線駆動回路２２２、共通電源変調回路２２４は、それぞれ表示制御部１４０（ＥＰＤコントローラー）（図９では不図示）と接続されており、表示制御部１４０が生成する制御信号１４４の一部である制御信号１４４ａ、制御信号１４４ｂ、制御信号１４４ｃがそれぞれ供給される。
【００８０】
電子ペーパー１５２（ＥＰＤパネル）には、走査線駆動回路２２１から延びる複数の走査線２２６と、データ線駆動回路２２２から延びる複数のデータ線２２８とが形成されており、これらの交差位置に対応して複数の画素２００が設けられている。
【００８１】
走査線駆動回路２２１は、ｊ本の走査線２２６（Ｙ１、Ｙ２、・・・、Ｙｊ）により各画素２００に接続されている。走査線駆動回路２２１は、制御信号１４４ａに従って１行目からｊ行目までの走査線２２６を順次選択することで、画素２００に設けられた駆動用ＴＦＴ（Thin Film Transistor）２０８（図１０参照）のオンタイミングを規定する選択信号を供給する。
【００８２】
データ線駆動回路２２２は、ｋ本のデータ線２２８（Ｘ１、Ｘ２、・・・、Ｘｋ）により各画素２００に接続されている。データ線駆動回路２２２は、転送データに基づく制御信号１４４ｂに従って、画素２００の各々に１ビットの画像信号を供給する。なお、本実施形態では、画素データ「０」を規定する場合には、ローレベルの画像信号を画素２００に供給し、画素データ「１」を規定する場合には、ハイレベルの画像信号を画素２００に供給するものとする。
【００８３】
電子ペーパー１５２（ＥＰＤパネル）には、また、共通電源変調回路２２４から延びる低電位電源線２０９（Ｖｓｓ）、高電位電源線２１０（Ｖｄｄ）、共通電極配線２１５（Ｖｃｏｍ）、第１のパルス信号線２５１（Ｓ１）、第２のパルス信号線２５２（Ｓ２）が設けられており、それぞれの配線は画素２００と接続されている。共通電源変調回路２２４は、制御信号１４４ｃに従って上記配線のそれぞれに供給する各種信号を生成する一方、これら各配線の電気的な接続及び切断（ハイインピーダンス化、Ｈｉ−Ｚ）を行う。
【００８４】
図１０は、図９の画素２００の回路構成図である。図１０において、図９と同じ配線には同じ番号を付しており、説明は省略する。また、図１０において、全画素に共通の共通電極配線２１５は図示を省略している。
【００８５】
図１０に示すように、画素２００には、駆動用ＴＦＴ２０８、ラッチ回路２３０、スイッチ回路２４０が設けられている。画素２００は、ラッチ回路２３０により画像信号を電位として保持するＳＲＡＭ（Static Random Access Memory）方式の構成をとる。
【００８６】
駆動用ＴＦＴ２０８は、Ｎ−ＭＯＳトランジスターからなる画素スイッチング素子である。駆動用ＴＦＴ２０８のゲート端子は走査線２２６に接続され、ソース端子はデータ線２２８に接続され、ドレイン端子はラッチ回路２３０のデータ入力端子に接続されている。ラッチ回路２３０は転送インバーター２３０ｔと帰還インバーター２３０ｆとを備えている。インバーター２３０ｔ、２３０ｆには、低電位電源線２０９（Ｖｓｓ）と高電位電源線２１０（Ｖｄｄ）から電源電圧が供給される。
【００８７】
スイッチ回路２４０は、トランスミッションゲートＴＧ１、ＴＧ２からなり、ラッチ回路２３０に記憶された画素データのレベルに応じて、画素電極１９５（図１１（Ｂ）、図１１（Ｃ）参照）に信号を出力する。なお、Ｖａは、１つの画素２００の画素電極へ印加する電位を意味する。
【００８８】
ラッチ回路２３０に画素データ「１」（ハイレベルの画像信号）が記憶されて、トランスミッションゲートＴＧ１がオン状態となると、スイッチ回路２４０はＶａとしてパルス信号（駆動パルス）Ｓ１を供給する。一方、ラッチ回路２３０に画素データ「０」（ローレベルの画像信号）が記憶されて、トランスミッションゲートＴＧ２がオン状態となると、スイッチ回路２４０はＶａとしてパルス信号（駆動パルス）Ｓ２を供給する。このような回路構成により、制御部によって、それぞれの画素２００の画素電極に対して印加する電位を制御することが可能である。
【００８９】
本実施形態の電子ペーパー１５２（ＥＰＤパネル）は、例えば、二粒子系マイクロカプセル型の電気泳動方式のＥＰＤパネルであってもよい。分散液は無色透明、電気泳動粒子は白色又は黒色のものであるとすると、白色又は黒色の２色を基本色として少なくとも２色を表示できる。
【００９０】
図１１（Ａ）は、マイクロカプセルの構成例を示す図である。マイクロカプセル２６０は、例えば無色透明な分散液と、複数の白色粒子（電気泳動粒子）２６７と、複数の黒色粒子（電気泳動粒子）２６６とを封入している。本実施形態では、例えば白色粒子２６７は負に帯電しており、黒色粒子２６６は正に帯電しているとする。
【００９１】
図１１（Ｂ）は、電子ペーパー１５２（ＥＰＤパネル）の部分断面図である。電子ペーパー１５２（ＥＰＤパネル）は、素子基板２７０のマイクロカプセル２６０側に、複数の画素電極１９５が形成された駆動電極層２８０を含む。図１１（Ｂ）では、画素電極１９５として画素電極１９５Ａと画素電極１９５Ｂが示されている。画素電極１９５により、画素ごとに電位を供給することが可能である（例えば、Ｖａ、Ｖｂ）。ここで、画素電極１９５Ａを有する画素を画素２００Ａとし、画素電極１９５Ｂを有する画素を画素２００Ｂとする。画素２００Ａ、画素２００Ｂは画素２００（図９、図１０参照）に対応する２つの画素である。
【００９２】
一方、対向基板２７１は透明基板であり、表示部において対向基板２７１側に画像表示がなされる。電子ペーパー１５２（ＥＰＤパネル）は、対向基板２７１のマイクロカプセル２６０側に、平面形状の共通電極１９７が形成された共通電極層２８２を含む。なお、共通電極１９７は透明電極である。共通電極１９７は、画素電極１９５と異なり全画素に共通の電極であり、電位Ｖｃｏｍが印加される。
【００９３】
共通電極層２８２と駆動電極層２８０との間に設けられた電気泳動表示層２９０にマイクロカプセル２６０が配置されており、電気泳動表示層２９０が表示領域となる。共通電極１９７と画素電極（例えば、１９５Ａ、１９５Ｂ）との間の電位差に応じて、画素毎に所望の表示色を表示させることができる。
【００９４】
図１１（Ｂ）では、共通電極側電位Ｖｃｏｍが画素２００Ａの画素電極の電位Ｖａよりも高電位である。このとき、負に帯電した白色粒子２６７が共通電極１９７側に引き寄せられ、正に帯電した黒色粒子２６６が画素電極１９５Ａ側に引き寄せられるため、画素２００Ａは白色を表示していると視認される。
【００９５】
図１１（Ｃ）では、共通電極側電位Ｖｃｏｍが画素２００Ａの画素電極の電位Ｖａよりも低電位である。このときは逆に、正に帯電した黒色粒子２６６が共通電極１９７側に引き寄せられ、負に帯電した白色粒子２６７が画素電極１９５Ａ側に引き寄せられるため、画素２００Ａは黒色を表示していると視認される。なお、図１１（Ｃ）の構成は図１１（Ｂ）と同様であり説明は省略する。また、図１１（Ｂ）、図１１（Ｃ）ではＶａ、Ｖｂ、Ｖｃｏｍを固定された電位として説明したが、実際にはＶａ、Ｖｂ、Ｖｃｏｍは時間とともに電位が変化する。
【００９６】
ここで、図１１（Ｂ）、図１１（Ｃ）の画素２００Ａの例では、それぞれ、白色粒子２６７、黒色粒子２６６が全て共通電極１９７側に引き寄せられている状態（いわゆる飽和状態）を表している。しかし、飽和状態にして基本色（白色、黒色）を表示するだけでなく、例えば反対方向の電界を適当な時間だけ印加することで中間色（ライトグレー、ダークグレー）を表示することも可能である。
【００９７】
図８に戻り、表示制御部１４０（ＥＰＤコントローラー）は、制御信号１４４を生成し、フレームバッファー１３６に書き込まれた画像データに対応する画像を表示部１５０（ディスプレイ）の電子ペーパー１５２（ＥＰＤパネル）に表示させる制御を行う。表示制御部１４０（ＥＰＤコントローラー）には、電子ペーパー１５２（ＥＰＤパネル）に表示させた画像に対応する画像データの履歴を管理するためのメモリーパイプライン１４２が設けられている。このメモリーパイプライン１４２は、電子ペーパー１５２（ＥＰＤパネル）に表示させた画像に対応する画像データ（フレームバッファー１３６に書き込まれた画像データ）の履歴情報を時系列に保持する。表示制御部１４０（ＥＰＤコントローラー）は、次に表示する画像の特性情報（各画素の色や明るさ等）とメモリーパイプライン１４２に保持されている履歴情報に基づき、電子ペーパー１５２（ＥＰＤパネル）の表示特性を考慮した最適な回数や間隔で駆動パルスを発生させ、次の画像を電子ペーパー１５２（ＥＰＤパネル）に表示させる制御を行う。
【００９８】
処理部１１０は、記憶部１３０に記憶されている各種のプログラムに従って、各種の計算処理や制御処理を行う。特に、本実施形態では、処理部１１０は、入力操作検出処理部１１２、ファイル管理部１１４、画像表示処理部１１６を含む。ただし、本実施形態の処理部１１０は、これらの一部の構成（要素）を省略又は変更したり、他の構成（要素）を追加したりした構成としてもよい。
【００９９】
入力操作検出処理部１１２は、操作部１２０や接触検出部１５４（デジタイザー）からの操作信号等に基づいてユーザーによる入力操作を検出する処理を行う。
【０１００】
ファイル管理部１１４（第２のファイル管理部の一例）は、入力操作検出処理部１１２の検出結果に基づき、表示部１５０に表示されたファイルの中から選択されたファイルに対して入力操作（ファイル操作）に応じた処理を行う。特に、本実施形態では、ファイル管理部１１４は、表示部１５０に、ファイル操作の対象として高速表示用ファイル３６を表示させずにデータファイル３４を表示させる処理を行う。なお、処理部１１０は、ファイル管理プログラム１３２を実行することで、ファイル管理部１１４として機能するようにしてもよい。
【０１０１】
処理部１１０は、アプリケーションプログラム１３４を実行することで、画像表示処理部１１６として機能する。具体的には、画像表示処理部１１６がフレームバッファー１３６に画像データを書き込むと、表示制御部１４０が当該画像データに基づき電子ペーパー１５２を制御し、当該画像データに対応する画像が表示部１５０に表示される。
【０１０２】
特に、本実施形態では、画像表示処理部１１６は、データファイル３４に対する閲覧操作が行われた場合、高速表示用ファイル３６に含まれるビットマップデータを用いて表示部１５０に画像を表示させる処理を行う。具体的には、画像表示処理部１１６は、高速表示用ファイル３６に含まれる、データファイル３４の表示対象ページに対応するビットマップデータファイル３６ｂに格納されている画像データをフレームバッファー１３６に書き込む処理を行う。また、画像表示処理部１１６は、当該表示対象ページに対応するベクトルデータファイル３６ｃに格納されているベクトルデータをビットマップデータに変換し、フレームバッファー１３６に書き込む処理を行う。
【０１０３】
なお、ファイル管理プログラム１３２やアプリケーションプログラム１３４は、最初から記憶部１３０に記憶されていてもよいが、処理部１１０が、コンピューター読み取り可能な情報記憶媒体に記憶されているファイル管理プログラム１３２やアプリケーションプログラム１３４を読み出して、記憶部１３０に記憶してもよい。あるいは、処理部１１０が、通信部１７０を介して、パーソナルコンピューター（サーバー）等の装置に記憶されているファイル管理プログラム１３２やアプリケーションプログラム１３４を受信して記憶部１３０に記憶してもよい。
【０１０４】
１−４．表示システムの処理
本実施形態の表示システム１における、情報処理装置２と画像表示端末３の各処理のフローについて説明する。以下では、データファイル３４がｐｄｆファイルであり、高速表示用ファイル３６がｍｃｄｐファイルであるものとし、図１〜図４に対応させながら説明する。
【０１０５】
［情報処理装置の処理］
図１２は、情報処理装置２の処理部１０によるファイル操作に対する処理のフローチャートの一部を示す図である。
【０１０６】
図１２に示すように、処理部１０は、操作部２０を介して画像表示端末３のフォルダー参照操作（フォルダーを参照する操作）が行われた場合（Ｓ１０のＹ）、対象フォルダー（フォルダー参照操作で選択されたフォルダー）直下のｐｄｆフォルダー（図１〜図４の／ｒｏｏｔ／ｄａｔａ／ｐｄｆ）にあるファイル（図１〜図４のｘｘｘ．ｐｄｆ）を対象フォルダー（図１又は図４の／ｒｏｏｔ／ｄａｔａ）のファイルとして表示する（Ｓ１２）。
【０１０７】
情報処理装置２から画像表示端末３の対象フォルダーにｐｄｆファイルのコピー操作が行われた場合（Ｓ１４のＹ）、処理部１０は、後述するファイル変換＆転送処理を行う（Ｓ１６）。ステップＳ１６のファイル変換＆転送処理は、図１に示した操作に対する情報処理装置２の処理に対応する。
【０１０８】
また、画像表示端末３の対象フォルダーから情報処理装置２にｐｄｆファイルのコピー操作が行われた場合（Ｓ１８のＹ）、処理部１０は、後述するファイル転送＆合成処理を行う（Ｓ２０）。ステップＳ２０のファイル転送＆合成処理は、図４に示した操作に対する情報処理装置２の処理に対応する。
【０１０９】
また、画像表示端末３の対象フォルダーにあるｐｄｆファイルの改名、削除、移動又はコピー操作が行われた場合（Ｓ２２のＹ）、処理部１０は、後述する改名／削除／移動／コピー処理を行う（Ｓ２４）。なお、このコピー操作は、対象フォルダーにあるファイルを画像表示端末３の他のフォルダーにコピーするための操作であり、対象フォルダーから情報処理装置２へのファイルのコピー操作（ステップＳ１８のコピー操作）とは異なる。
【０１１０】
そして、処理部１０は、画像表示端末３のフォルダー参照操作が終了するまで、ステップＳ１２〜Ｓ２４の処理を繰り返し行う。
【０１１１】
図１３は、情報処理装置２の処理部１０によるファイル変換＆転送処理（図１２のステップＳ１６の処理）のフローチャートの一部を示す図である。
【０１１２】
図１３に示すように、処理部１０は、まず、ｐｄｆファイル（図１のｘｘｘ．ｐｄｆ）の構造解析を行う（Ｓ１００）。
【０１１３】
次に、処理部１０は、ｐｄｆファイルの最初のページを選択し（Ｓ１０２）、選択されたページ（最初のページ）のベクトルデータファイル３６ｃ（空のファイル）を作成する（Ｓ１０４）。
【０１１４】
次に、処理部１０は、当該ページの表示用データ（テキスト、画像、図形）を画像表示端末３の表示部１５０の属性に合わせたビットマップデータに変換し、当該ページのビットマップデータファイル３６ｂを作成する（Ｓ１０６）。
【０１１５】
次に、処理部１０は、当該ページの付帯情報ファイル３６ｄを作成する（Ｓ１０８）。
【０１１６】
処理部１０は、当該ページが最終ページでなければ（Ｓ１１０のＮ）、ｐｄｆファイルの次のページを選択し（Ｓ１１２）、再び、ステップＳ１０４〜Ｓ１１０の処理を行う。
【０１１７】
一方、当該ページが最終ページであれば（Ｓ１１０のＹ）、処理部１０は、ヘッダーファイル３６ａを作成し、各ページのビットマップデータファイル３６ｂ、ベクトルデータファイル３６ｃ、付帯情報ファイル３６ｄとまとめて、ｐｄｆファイルと同じ名前のｍｃｄｐファイル（図１のｘｘｘ．ｍｃｄｐ）を作成する（Ｓ１１４）。
【０１１８】
次に、処理部１０は、画像表示端末３の対象フォルダーの直下にあるｐｄｆフォルダー（図１の／ｒｏｏｔ／ｄａｔａ／ｐｄｆ）にｐｄｆファイル（図１のｘｘｘ．ｐｄｆ）をコピーする（Ｓ１１６）。
【０１１９】
最後に、処理部１０は、画像表示端末３の対象フォルダーの直下にあるｍｃｄｐフォルダー（図１の／ｒｏｏｔ／ｄａｔａ／ｍｃｄｐ）に、ステップＳ１１４で作成したｍｃｄｐファイルを移動し（Ｓ１１８）、処理を終了する。
【０１２０】
図１４は、情報処理装置２の処理部１０によるファイル転送＆合成処理（図１２のステップＳ２０の処理）のフローチャートの一部を示す図である。
【０１２１】
図１４に示すように、処理部１０は、まず、画像表示端末３の対象フォルダーの直下のｐｄｆフォルダー（図４の／ｒｏｏｔ／ｄａｔａ／ｐｄｆ）にあるｐｄｆファイル（図４のｘｘｘ．ｐｄｆ）を情報処理装置２の記憶部３０の作業領域にコピーする（Ｓ２００）。
【０１２２】
次に、処理部１０は、画像表示端末３の対象フォルダーの直下のｍｃｄｐフォルダー（図４の／ｒｏｏｔ／ｄａｔａ／ｍｃｄｐ）にある、ｐｄｆファイルと同じ名前のｍｃｄｐファイル（図４のｘｘｘ．ｍｃｄｐ）に含まれる各ページの付帯情報ファイル３６ｄを参照し、データ追加フラグに基づき、各ページにベクトルデータが追加されているか否かを判定し、ベクトルデータが追加されている各ページのベクトルデータファイル３６ｃを取り出して情報処理装置２の記憶部３０の作業領域にコピーする（Ｓ２０２）。
【０１２３】
次に、処理部１０は、ステップＳ２００でコピーしたｐｄｆファイル（図４のｘｘｘ．ｐｄｆ）の構造解析を行う（Ｓ２０４）。
【０１２４】
次に、処理部１０は、ｐｄｆファイルの最初のページを選択し（Ｓ２０６）、選択されたページ（最初のページ）の表示用データ（テキスト、画像、図形）に、当該ページのベクトルデータファイル３６ｃに含まれるベクトルデータを別オブジェクト（例えば、ｐｄｆのアノテーション）として合成する（Ｓ２０８）。
【０１２５】
処理部１０は、当該ページが最終ページでなければ（Ｓ２１２のＮ）、ｐｄｆファイルの次のページを選択し（Ｓ２１４）、再び、ステップＳ２０８の処理を行う。
【０１２６】
一方、当該ページが最終ページであれば（Ｓ２１２のＹ）、処理部１０は、ステップＳ２０６〜Ｓ２１４で合成したｐｄｆファイルをコピー先フォルダーに移動し（Ｓ２１６）、処理を終了する。
【０１２７】
図１５は、情報処理装置２の処理部１０による改名／削除／移動／コピー処理（図１２のステップＳ２４の処理）のフローチャートの一部を示す図である。
【０１２８】
図１５に示すように、改名操作が行われた場合（Ｓ３００のＹ）、処理部１０は、画像表示端末３の対象フォルダーの直下のｐｄｆフォルダー（図１又は図４の／ｒｏｏｔ／ｄａｔａ／ｐｄｆ）にあるｐｄｆファイル（図１又は図４のｘｘｘ．ｐｄｆ）の名前を（例えばｙｙｙ．ｐｄｆに）変更する（Ｓ３０２）。
【０１２９】
さらに、処理部１０は、対象フォルダーの直下のｍｃｄｐフォルダー（図１又は図４の／ｒｏｏｔ／ｄａｔａ／ｍｃｄｐ）にあるｍｃｄｐファイル（図１又は図４のｘｘｘ．ｍｃｄｐ）の名前をｐｄｆファイルと同じ名前（ｙｙｙ．ｍｃｄｐ）に変更し（Ｓ３０４）、処理を終了する。
【０１３０】
また、削除操作が行われた場合（Ｓ３０６のＹ）、処理部１０は、画像表示端末３の対象フォルダーの直下のｐｄｆフォルダー（図１又は図４の／ｒｏｏｔ／ｄａｔａ／ｐｄｆ）にあるｐｄｆファイル（図１又は図４のｘｘｘ．ｐｄｆ）を削除する（Ｓ３０８）。
【０１３１】
さらに、処理部１０は、対象フォルダーの直下のｍｃｄｐフォルダー（図１又は図４の／ｒｏｏｔ／ｄａｔａ／ｍｃｄｐ）にあるｍｃｄｐファイル（図１又は図４のｘｘｘ．ｍｃｄｐ）を削除し（Ｓ３１０）、処理を終了する。
【０１３２】
また、移動操作が行われた場合（Ｓ３１２のＹ）、処理部１０は、画像表示端末３の対象フォルダーの直下のｐｄｆフォルダー（図１又は図４の／ｒｏｏｔ／ｄａｔａ／ｐｄｆ）にあるｐｄｆファイル（図１又は図４のｘｘｘ．ｐｄｆ）を画像表示端末３の移動先フォルダー（例えば、／ｒｏｏｔ／ｄａｔａ１）の直下のｐｄｆフォルダー（／ｒｏｏｔ／ｄａｔａ１／ｐｄｆ）に移動する（Ｓ３１４）。
【０１３３】
さらに、処理部１０は、対象フォルダーの直下のｍｃｄｐフォルダー（図１又は図４の／ｒｏｏｔ／ｄａｔａ／ｍｃｄｐ）にあるｍｃｄｐファイル（図１又は図４のｘｘｘ．ｍｃｄｐ）を移動先フォルダー（／ｒｏｏｔ／ｄａｔａ１）の直下のｍｃｄｐフォルダー（／ｒｏｏｔ／ｄａｔａ１／ｍｃｄｐ）に移動し（Ｓ３１６）、処理を終了する。
【０１３４】
また、コピー操作が行われた場合（Ｓ３１８のＹ）、処理部１０は、画像表示端末３の対象フォルダーの直下のｐｄｆフォルダー（図１又は図４の／ｒｏｏｔ／ｄａｔａ／ｐｄｆ）にあるｐｄｆファイル（図１又は図４のｘｘｘ．ｐｄｆ）を画像表示端末３のコピー先フォルダー（例えば、／ｒｏｏｔ／ｄａｔａ１）の直下のｐｄｆフォルダー（／ｒｏｏｔ／ｄａｔａ１／ｐｄｆ）にコピーする（Ｓ３２０）。
【０１３５】
さらに、処理部１０は、対象フォルダーの直下のｍｃｄｐフォルダー（図１又は図４の／ｒｏｏｔ／ｄａｔａ／ｍｃｄｐ）にあるｍｃｄｐファイル（図１又は図４のｘｘｘ．ｍｃｄｐ）をコピー先フォルダー（／ｒｏｏｔ／ｄａｔａ１）の直下のｍｃｄｐフォルダー（／ｒｏｏｔ／ｄａｔａ１／ｍｃｄｐ）にコピーし（Ｓ３２２）、処理を終了する。
【０１３６】
［画像表示端末の処理］
図１６は、画像表示端末３の処理部１１０による処理のフローチャートの一部を示す図である。
【０１３７】
図１６に示すように、処理部１１０は、画像表示端末３のフォルダー参照操作が行われた場合（Ｓ４００のＹ）、対象フォルダー直下のｐｄｆフォルダー（図２の／ｒｏｏｔ／ｄａｔａ／ｐｄｆ）にあるファイル（図２のｘｘｘ．ｐｄｆ）を対象フォルダー（図２の／ｒｏｏｔ／ｄａｔａ）のファイルとして表示する（Ｓ４０２）。
【０１３８】
対象フォルダーにあるｐｄｆファイルの改名、削除、移動又はコピー操作が行われた場合（Ｓ４０４のＹ）、処理部１１０は、後述する改名／削除／移動／コピー処理を行う（Ｓ４０６）。
【０１３９】
また、対象フォルダーにあるｐｄｆファイルの閲覧操作が行われた場合（Ｓ４０８のＹ）、処理部１１０は、後述するファイル閲覧＆編集処理を行う（Ｓ４１０）。
【０１４０】
図１７は、画像表示端末３の処理部１１０による改名／削除／移動／コピー処理（図１６のステップＳ４０６の処理）のフローチャートの一部を示す図である。
【０１４１】
図１７に示すように、改名操作が行われた場合（Ｓ５００のＹ）、処理部１１０は、対象フォルダーの直下のｐｄｆフォルダー（図２の／ｒｏｏｔ／ｄａｔａ／ｐｄｆ）にあるｐｄｆファイル（図２のｘｘｘ．ｐｄｆ）の名前を（例えばｙｙｙ．ｐｄｆに）変更する（Ｓ５０２）。
【０１４２】
さらに、処理部１１０は、対象フォルダーの直下のｍｃｄｐフォルダー（図２の／ｒｏｏｔ／ｄａｔａ／ｍｃｄｐ）にあるｍｃｄｐファイル（図２のｘｘｘ．ｍｃｄｐ）の名前をｐｄｆファイルと同じ名前（ｙｙｙ．ｍｃｄｐ）に変更し（Ｓ５０４）、処理を終了する。
【０１４３】
また、削除操作が行われた場合（Ｓ５０６のＹ）、処理部１１０は、対象フォルダーの直下のｐｄｆフォルダー（図２の／ｒｏｏｔ／ｄａｔａ／ｐｄｆ）にあるｐｄｆファイル（図２のｘｘｘ．ｐｄｆ）を削除する（Ｓ５０８）。
【０１４４】
さらに、処理部１１０は、対象フォルダーの直下のｍｃｄｐフォルダー（図２の／ｒｏｏｔ／ｄａｔａ／ｍｃｄｐ）にあるｍｃｄｐファイル（図２のｘｘｘ．ｍｃｄｐ）を削除し（Ｓ５１０）、処理を終了する。
【０１４５】
また、移動操作が行われた場合（Ｓ５１２のＹ）、処理部１１０は、対象フォルダーの直下のｐｄｆフォルダー（図２の／ｒｏｏｔ／ｄａｔａ／ｐｄｆ）にあるｐｄｆファイル（図２のｘｘｘ．ｐｄｆ）を移動先フォルダー（例えば、／ｒｏｏｔ／ｄａｔａ１）の直下のｐｄｆフォルダー（／ｒｏｏｔ／ｄａｔａ１／ｐｄｆ）に移動する（Ｓ５１４）。
【０１４６】
さらに、処理部１１０は、対象フォルダーの直下のｍｃｄｐフォルダー（図２の／ｒｏｏｔ／ｄａｔａ／ｍｃｄｐ）にあるｍｃｄｐファイル（図２のｘｘｘ．ｍｃｄｐ）を移動先フォルダー（／ｒｏｏｔ／ｄａｔａ１）の直下のｍｃｄｐフォルダー（／ｒｏｏｔ／ｄａｔａ１／ｍｃｄｐ）に移動し（Ｓ５１６）、処理を終了する。
【０１４７】
また、コピー操作が行われた場合（Ｓ５１８のＹ）、処理部１１０は、対象フォルダーの直下のｐｄｆフォルダー（図２の／ｒｏｏｔ／ｄａｔａ／ｐｄｆ）にあるｐｄｆファイル（図２のｘｘｘ．ｐｄｆ）をコピー先フォルダー（例えば、／ｒｏｏｔ／ｄａｔａ１）の直下のｐｄｆフォルダー（／ｒｏｏｔ／ｄａｔａ１／ｐｄｆ）にコピーする（Ｓ５２０）。
【０１４８】
さらに、処理部１１０は、対象フォルダーの直下のｍｃｄｐフォルダー（図２の／ｒｏｏｔ／ｄａｔａ／ｍｃｄｐ）にあるｍｃｄｐファイル（図２のｘｘｘ．ｍｃｄｐ）をコピー先フォルダー（／ｒｏｏｔ／ｄａｔａ１）の直下のｍｃｄｐフォルダー（／ｒｏｏｔ／ｄａｔａ１／ｍｃｄｐ）にコピーし（Ｓ５２２）、処理を終了する。
【０１４９】
図１８は、画像表示端末３の処理部１１０によるファイル閲覧＆編集処理（図１６のステップＳ４１０の処理）のフローチャートの一部を示す図である。
【０１５０】
図１８に示すように、処理部１１０は、対象フォルダーの直下のｍｃｄｐフォルダー（図３の／ｒｏｏｔ／ｄａｔａ／ｍｃｄｐ）にあるｍｃｄｐファイル（図３のｘｘｘ．ｍｃｄｐ）に含まれる最初のページを選択し（Ｓ６００）、選択されたページ（最初のページ）のビットマップデータファイル３６ｂに含まれるビットマップデータを表示部１５０に表示する（Ｓ６０２）。
【０１５１】
次に、処理部１１０は、ｍｃｄｐファイルに含まれる選択されたページ（最初のページ）の付帯情報ファイル３６ｄを参照し、データ追加フラグに基づき、ベクトルデータが存在するか否かを判定する（Ｓ６０４）。
【０１５２】
選択されたページ（最初のページ）にベクトルデータが存在する場合（Ｓ６０６のＹ）、処理部１１０は、選択されたページ（最初のページ）のベクトルデータファイル３６ｃに含まれるベクトルデータをビットマップデータに変換し、表示部１５０に表示する（Ｓ６０８）。
【０１５３】
そして、ページ送り、ページ戻し、ページジャンプ等のページ変更操作が行われた場合（Ｓ６１０のＹ）、処理部１１０は、変更先のページを選択し（Ｓ６１２）、再び、ステップＳ６０２〜Ｓ６０８の処理を行う。
【０１５４】
また、手書きの図形や文字、しおり、アンダーライン等のベクトル画像の編集操作が行われた場合（Ｓ６１４のＹ）、処理部１１０は、後述するベクトル画像編集処理を行う（Ｓ６１６）。
【０１５５】
そして、処理部１１０は、閲覧を終了する操作が行われるまで（Ｓ６１８のＮ）ステップＳ６０２〜Ｓ６１６の処理を繰り返し行い、閲覧を終了する操作が行われると（Ｓ６１８のＹ）処理を終了する。
【０１５６】
図１９は、画像表示端末３の処理部１１０によるベクトル画像編集処理（図１８のステップＳ６１６の処理）のフローチャートの一部を示す図である。
【０１５７】
図１９に示すように、ベクトル画像の追加操作が行われた場合（Ｓ７００のＹ）、処理部１１０は、まず、入力操作（追加操作）に応じたベクトルデータを作成する（Ｓ７０２）。
【０１５８】
次に、処理部１１０は、ステップＳ７０２で作成したベクトルデータをビットマップデータに変換し、表示部１５０に表示する（Ｓ７０４）。
【０１５９】
次に、処理部１１０は、図１８のステップＳ６００又はＳ６１２で選択されたページのベクトルデータファイル３６ｃに、ステップＳ７０２で作成したベクトルデータを追加する（Ｓ７０６）。
【０１６０】
最後に、処理部１１０は、当該選択されたページの付帯情報ファイル３６ｄのデータ追加フラグをセットし（Ｓ７０８）、処理を終了する。
【０１６１】
また、ベクトル画像の変更操作が行われた場合（Ｓ７１０のＹ）、処理部１１０は、まず、入力操作（変更操作）に応じてベクトルデータを変更する（Ｓ７１２）。
【０１６２】
次に、処理部１１０は、ベクトル画像の変更領域の背景画像のビットマップデータを作成し、表示部１５０に表示する（Ｓ７１４）。
【０１６３】
次に、処理部１１０は、ステップＳ７１２で変更したベクトルデータをビットマップデータに変換し、表示部１５０に表示する（Ｓ７１６）。
【０１６４】
最後に、処理部１１０は、図１８のステップＳ６００又はＳ６１２で選択されたページのベクトルデータファイル３６ｃのベクトルデータを変更（ステップＳ７１２で変更したベクトルデータで上書き）し（Ｓ７１８）、処理を終了する。
【０１６５】
また、ベクトル画像の削除操作が行われた場合（Ｓ７２０のＹ）、処理部１１０は、ベクトル画像の削除領域の画像のビットマップデータを作成し、表示部１５０に表示する（Ｓ７２２）。
【０１６６】
次に、処理部１１０は、図１８のステップＳ６００又はＳ６１２で選択されたページのベクトルデータファイル３６ｃから当該ベクトル画像のベクトルデータを削除する（Ｓ７２４）。
【０１６７】
そして、当該選択されたページのベクトルデータファイル３６ｃに他のベクトルデータが存在しなければ（Ｓ７２６のＹ）、処理部１１０は、当該選択されたページの付帯情報ファイル３６ｄのデータ追加フラグをクリアし（Ｓ７２８）、処理を終了する。
【０１６８】
以上に説明したように、第１実施形態の表示システムによれば、情報処理装置２は、データファイル３４（ｐｄｆファイル）を画像表示端末３のフォルダーにコピーする操作が行われた場合、データファイル３４（ｐｄｆファイル）に含まれる表示用データを、画像表示端末３の表示部１５０（電子ペーパー１５２）の属性に合わせてレンダリングして、ビットマップデータに変換し、高速表示用ファイル３６（ｍｃｄｐファイル）を作成する。従って、画像表示端末３は、データファイル３４（ｐｄｆファイル）に対する閲覧操作が行われた場合、高速表示用ファイル３６（ｍｃｄｐファイル）に含まれるビットマップデータを表示すればよいので、データファイル３４（ｐｄｆファイル）のパースやレンダリングの処理を行う必要がない。そのため、画像表示端末３の処理部１１０として処理能力の低いＣＰＵを使用しても表示を高速化することができるとともに、画像表示端末３の消費電力を低減することができる。
【０１６９】
また、第１実施形態の表示システムによれば、情報処理装置２や画像表示端末３でユーザーに対して高速表示用ファイル３６（ｍｃｄｐファイル）を隠蔽し、画像表示端末３がデータファイル３４（ｐｄｆファイル）を高速処理しているかのように見せることができる。
【０１７０】
また、第１実施形態の表示システムによれば、画像表示端末３は、手書きの文字や図形等のベクトル画像が追加される場合、ベクトルデータファイル３６ｃにベクトルデータを追加するだけで、ビットマップデータファイル３６ｂに含まれるビットマップデータと当該ベクトルデータを合成する必要がない。従って、ベクトル画像が追加された場合も、画像表示端末３の低処理負荷と低消費電力を維持することができる。
【０１７１】
また、第１実施形態の表示システムでは、情報処理装置２は、画像表示端末３で追加されたベクトルデータを別個のオブジェクト（ｐｄｆのアノテーション）としてデータファイル３４（ｐｄｆファイル）に合成するので、画像表示端末３で当該合成後のファイルを閲覧した場合、追加されたベクトル画像が表示され、その削除や変更が可能となる。
【０１７２】
また、ベクトル画像が追加される場合、画像表示端末３は、付帯情報ファイル３６ｄに含まれるデータ追加フラグをセットするので、情報処理装置２は、データ追加フラグに基づき、データファイル３４（ｐｄｆファイル）の各ページにベクトルデータが追加されているか否かを判別し、画像表示端末３から真に必要なベクトルデータのみをコピーすることで合成処理を高速化することができる。
【０１７３】
また、第１実施形態の表示システムによれば、対応関係にあるデータファイル３４（ｐｄｆファイル）と高速表示用ファイル３６（ｍｃｄｐファイル）は、データファイル３４（ｐｄｆファイル）に対する改名／削除／移動／コピーのファイル操作に対して、両者とも改名／削除／移動／コピーの処理が行われる。従って、情報処理装置２および画像表示端末３は、データファイル３４（ｐｄｆファイル）と高速表示用ファイル３６（ｍｃｄｐファイル）の対応付けをファイル名とフォルダーの位置関係によって容易に管理することができる。
【０１７４】
２．第２実施形態
第１実施形態では、高速表示用ファイル３６（ｍｃｄｐファイル）は、データファイル３４の各ページに対して、１セットのビットマップデータファイル３６ｂ、ベクトルデータファイル３６ｃ、付帯情報ファイル３６ｄしか含まない。これに対して、第２実施形態では、あらかじめ、高速表示用ファイル３６に、拡大用あるいは縮小用に解像度の異なる複数のビットマップデータを持たせておく。
【０１７５】
図２０は、第２実施形態における高速表示用ファイル３６の一例を示す図である。第２実施形態では、高速表示用ファイル（ｍｃｄｐファイル）３６は、ヘッダーファイル３６ａを含むとともに、データファイル３４（例えば、ｐｄｆファイル）の表示用のページＰｋ（ｋ＝１〜ｎ）毎に、ビットマップデータファイル３６ｂ、ベクトルデータファイル３６ｃ、付帯情報ファイル３６ｄの１番目のセットＰｋ−１、２番目のセットＰｋ−２、・・・を含んで構成されている。そして、Ｐｋ−１，Ｐｋ−２，・・・の各ビットマップデータファイル３６ｂには、互いに解像度が異なるビットマップデータが保存され、Ｐｋ−１，Ｐｋ−２，・・・の各付帯情報ファイル３６ｄには、同じセットに含まれるビットマップデータファイル３６ｂに保存されているビットマップデータの解像度の情報が保存される。
【０１７６】
第２実施形態では、情報処理装置２の処理部１０は、図１３に示したファイル変換＆転送処理において、データファイル３４に対するステップＳ１０２〜Ｓ１１２の処理を、あらかじめ決められた複数の解像度の各々を選択しながら複数回行うことにより、ステップＳ１１４において図２０に示した高速表示用ファイル３６（ｍｃｄｐファイル）を作成する。
【０１７７】
また、画像表示端末３の処理部１１０は、図１８に示したファイル閲覧＆編集処理において、表示されているページに対してあらかじめ決められた倍率での拡大操作又は縮小操作が行われた場合、当該ページの複数の付帯情報ファイル３６ｄから、当該拡大操作又は縮小操作の倍率に応じた解像度と一致する解像度の情報を含む付帯情報ファイル３６ｄを判別する。そして、処理部１１０は、当該付帯情報ファイル３６ｄと同じセットのビットマップデータファイル３６ｂに含まれるビットマップデータをフレームバッファー１３６に書き込み、表示部１５０の表示を更新する。
第２実施形態の表示システムのその他の構成及び処理は第１実施形態と同様であるため、図示及び説明を省略する。
【０１７８】
第２実施形態の表示システムによれば、所定の倍率の拡大画像や縮小画像の表示についてはバッテリー消費量を抑えながら表示を高速化することができる。
【０１７９】
３．第３実施形態
第１実施形態では、高速表示用ファイル３６（ｍｃｄｐファイル）のビットマップデータファイル３６ｂには、画像表示端末３の表示部１５０（電子ペーパー１５２）の属性に合ったビットマップデータが保存される。すなわち、情報処理装置２の処理部１０は、図１３に示したファイル変換＆転送処理において、ターゲットとなる画像表示端末３の機種に合わせてあらかじめ決められた総画素数（縦の画素数×横の画素数）や表示色（階調）の数のビットマップデータを作成している。
【０１８０】
これに対して、第３実施形態では、情報処理装置２の処理部１０は、複数の機種の画像表示端末３の各々に対する表示部１５０（電子ペーパー１５２）の属性情報が定義された画像表示端末３の機種情報に基づいて、データファイル３４の表示用データに対してファイル変換＆転送処理を行う。
【０１８１】
図２１は、画像表示端末３の機種情報の一例を示す図である。図２１に示す機種情報３８は、画像表示端末３の機種の識別番号（ＩＤ）と、表示部１５０の属性情報との対応関係が定義された対応テーブルであり、例えば記憶部３０に記憶されている。表示部１５０の属性情報は、総画素数（縦の画素数×横の画素数）や表示色（階調）の数等の情報である。
【０１８２】
第３実施形態では、情報処理装置２の処理部１０は、例えば、図１に示したように、情報処理装置２がＵＳＢケーブル４等で画像表示端末３と接続された時に、画像表示端末３から識別情報（ＩＤ）を取得し、当該識別情報（ＩＤ）を記憶部３０に保存する。そして、情報処理装置２の処理部１０は、図１３に示したファイル変換＆転送処理のステップＳ１０６の処理において、記憶部３０に保存されている画像表示端末３の識別情報（ＩＤ）と画像表示端末３の機種情報３８とを参照し、機種情報３８から識別情報（ＩＤ）に対応付けられている表示部１５０の属性情報を抽出し、データファイル３４の各ページの表示用データを当該属性情報に合わせたビットマップデータに変換する。
【０１８３】
なお、あらかじめ記憶部１３０等に機種情報として表示部１５０の属性情報を保存しておき、例えば、図１に示したように、情報処理装置２がＵＳＢケーブル４等で画像表示端末３と接続された時に、画像表示端末３が、当該機種情報（表示部１５０の属性情報）を読み出して、記憶部３０に保存するようにしてもよい。この場合、情報処理装置２の処理部１０は、図１３に示したファイル変換＆転送処理のステップＳ１０６の処理において、記憶部３０に保存されている当該機種情報を参照し、データファイル３４の各ページの表示用データを当該機種情報（属性情報）に合わせたビットマップデータに変換すればよい。
第３実施形態の表示システムのその他の構成及び処理は第１実施形態と同様であるため、図示及び説明を省略する。
【０１８４】
第３実施形態の表示システムによれば、データファイル３４に含まれる表示用データを、画像表示端末の機種に応じた適切な解像度のビットマップデータに変換することができる。従って、汎用性の高い表示システムを実現することができる。
【０１８５】
なお、画像表示端末３としては、電子書籍端末以外の例として、図２２（Ａ）及び図２２（Ｂ）に示すように、スマートフォンや腕時計が挙げられる。
【０１８６】
図２２（Ａ）は、スマートフォン５００の外観図である。スマートフォン５００は、ケース５０２を備える。ケース５０２の前面には、３つの操作ボタン５１１，５１２，５１３が設けられている。また、ケース５０２の前面には、ＥＰＤパネル等の電子ペーパーを備えた表示部５０４が設けられ、電子ペーパーの表面に各種の情報（画像）が表示される。内蔵されたメモリーにデータファイル３４と高速表示用ファイル３６が記憶されており、内蔵されたＣＰＵが、高速表示用ファイル３６を用いて、表示部５０４の電子ペーパーの表面に、不図示のペンや操作ボタン５１１，５１２，５１３等による操作に応じた画像を高速表示する。
【０１８７】
図２２（Ｂ）は、腕時計６００の外観図である。腕時計６００は、ケース６０２と、ケース６０２に連結された一対のバンド６０３とを備える。ケース６０２の側面には、２つの操作ボタン６１１，６１２が設けられている。また、ケース６０２の前面には、ＥＰＤパネル等の電子ペーパーを備えた表示部６０４が設けられ、電子ペーパーの表面に時刻の他、各種の情報（画像）が表示される。内蔵されたメモリーにデータファイル３４と高速表示用ファイル３６が記憶されており、内蔵されたＣＰＵが、高速表示用ファイル３６を用いて、表示部６０４の電子ペーパーの表面に、不図示のペンや操作ボタン６１１，６１２等による操作に応じた画像を高速表示する。
【０１８８】
なお、本実施形態の画像表示端末３としては、この他にも、例えば、電子看板（デジタルサイネージ）、パーソナルコンピューター、携帯電話機、ディジタルスチールカメラ、テレビ、ビデオカメラ、ビデオテープレコーダー、カーナビゲーション装置、電子手帳、電子ゲーム機器等が挙げられる。
本発明は本実施形態に限定されず、本発明の要旨の範囲内で種々の変形実施が可能である。
【０１８９】
４．第４実施形態
本実施形態の説明において、上述した実施形態において説明したものと同じ構成要素においては、同一の番号を付与し、その説明を省略する。第４実施形態は、画像表示端末装置の内部の構成が上述した実施形態とは異なる構成の実施形態である。
【０１９０】
図２３に本実施形態における画像表示端末５を示す。画像表示端末３は、処理部１１０、表示制御部１４０及び周辺装置制御部１１１２をひとつの集積回路としたコントローラー１１１０を有する。
【０１９１】
周辺装置制御部１１１２は、例えば、図示してはいないが、無線ＬＡＮなどの周辺装置に対する制御を行う部分である。通信部１７０は、本実施形態においては周辺装置制御部１１１２の中に含まれる。また、本実施形態における情報処理装置は、上述した実施形態における情報処理装置２でよい。
【０１９２】
本実施形態における表示システムは、第１のファイル管理部を有する情報処理装置と、第２のファイル管理部を有する画像表示端末装置と、を含み、第１のファイル管理部は，第１のファイル情報に含まれる第１の表示用データを用いて表示画像の表示を行い、第２のファイル管理部は、第２のファイル情報に含まれる第２の表示用データを用いて表示画像の表示を行い、第２のファイル情報は、第１の表示用データと第２の表示用データとを含み、第２のファイル情報は、第１のファイル情報を情報処理装置から画像表示端末装置に転送するときに、第１のファイル管理部において生成されることを特徴とする。
【０１９３】
第２の表示用データは、画像表示端末装置の表示部の属性に合わせた形式のデータであることでよい。
【０１９４】
画像表示端末装置は、表示部に書き込まれた第１の追加情報を取得し第２のファイル情報に追加する機能を有し、第２のファイル管理部は第２の表示用データと第１の追加情報とを用いて表示画像の表示を行うことでよい。
【０１９５】
第２のファイル管理部は、第２のファイル情報を画像表示端末装置から情報処理装置に転送するときに第１の表示用データと第１の追加情報とを含む第３のファイル情報を生成し、第１のファイル管理部は、第３のファイル情報を新たな第１のファイル情報として管理し、第１の表示用データと第１の追加情報とを用いて表示画像の表示を行うことでよい。
【０１９６】
情報処理装置及び画像表示端末装置のそれぞれは、独立した装置として使用することができることでよい。
【０１９７】
第２の表示用データは、ビットマップ形式のデータであり、第１の追加情報は、ベクトル形式のデータである、ことでよい。
【０１９８】
表示部を制御する表示制御部と第２のファイル管理部とがひとつの半導体回路装置として構成されていることでよい。
【０１９９】
また、本実施形態における画像表示端末装置は、記憶部と、書込みできる表示部と、ファイル管理部と、を含み、記憶部は、他の装置で作成されたファイル情報を記憶し、ファイル情報は、第１の表示用データと第２の表示用データとを含み、ファイル管理部は、表示部にユーザーにより書き込まれた第１の追加情報を取得しファイル情報に追加すると共に、第２の表示用データ及び第１の追加情報を用いて表示部に画像を表示させ、他の装置にファイル情報の内容を出力する場合は、ファイル管理部は第１の表示用データと第１の追加情報とを出力することでもよい。
【０２００】
上述した実施形態は一例であって、これらに限定されるわけではない。例えば、各実施形態を適宜組み合わせることも可能である。
【０２０１】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０２０２】
１  表示システム、２  情報処理装置、３  画像表示端末、５  画像表示端末、１０  処理部、１２  入力操作検出処理部、１４  ファイル管理部、２０  操作部、２２  キーボード、２４  マウス、３０  記憶部、３２  ファイル管理プログラム、３４  データファイル、３６  高速表示用ファイル、３８  画像表示端末の機種情報、５０  表示部（ディスプレイ）、６０  音出力部（スピーカー）、７０  通信部（ＵＳＢインターフェイス）、１００  記憶部、１１０  処理部、１１２  入力操作検出処理部、１１４  ファイル管理部、１１６  画像表示処理部、１２０  操作部、１２０ａ，１２０ｂ  ボタン、１３０  記憶部、１３２  ファイル管理プログラム、１３２  アプリケーションプログラム、１３６  フレームバッファー、１４０  表示制御部（ＥＰＤコントローラー）、１４２  メモリーパイプライン、１４４，１４４ａ，１４４ｂ，１４４ｃ  制御信号、１５０  表示部（ディスプレイ）、１５２  電子ペーパー（ＥＰＤパネル）、１５４  接触検出部（デジタイザー）、１６０  音出力部（スピーカー）、１７０  通信部（ＵＳＢインターフェイス）、１９５，１９５Ａ，１９５Ｂ  画素電極、１９７  共通電極、２００，２００Ａ，２００Ｂ  画素、２０８  駆動用ＴＦＴ、２０９  低電位電源線（Ｖｓｓ）、２１０  高電位電源線（Ｖｄｄ）、２１５  共通電極配線（Ｖｃｏｍ）、２２１  走査線駆動回路、２２２  データ線駆動回路、２２４  共通電源変調回路、２２６  走査線、２２８  データ線、２３０  ラッチ回路、２４０  スイッチ回路、２５１  第１のパルス信号線（Ｓ１）、２５２  第２のパルス信号線（Ｓ２）、２６０  マイクロカプセル、２６６  黒色粒子、２６７  白色粒子、２７０  素子基板、２７１  対向基板、２８０  駆動電極層、２８２  共通電極層、２９０  電気泳動表示層、５００  スマートフォン、５０２  ケース、５０４  表示部、５１１，５１２，５１３  操作ボタン、６００  腕時計、６０２  ケース、６０３  バンド、６０４  表示部、６１１，６１２  操作ボタン、１１１０  コントローラー、１１１２  周辺装置制御部。
【図１】
2014032385.tif 000003
【図２】
2014032385.tif 000004
【図３】
2014032385.tif 000005
【図４】
2014032385.tif 000006
【図５】
2014032385.tif 000007
【図６】
2014032385.tif 000008
【図７】
2014032385.tif 000009
【図８】
2014032385.tif 000010
【図９】
2014032385.tif 000011
【図１０】
2014032385.tif 000012
【図１１】
2014032385.tif 000013
【図１２】
2014032385.tif 000014
【図１３】
2014032385.tif 000015
【図１４】
2014032385.tif 000016
【図１５】
2014032385.tif 000017
【図１６】
2014032385.tif 000018
【図１７】
2014032385.tif 000019
【図１８】
2014032385.tif 000020
【図１９】
2014032385.tif 000021
【図２０】
2014032385.tif 000022
【図２１】
2014032385.tif 000023
【図２２】
2014032385.tif 000024
【図２３】
2014032385.tif 000025